【事件の表示】
　平成１１年特許願第２５００８７号「パチンコ機」拒絶査定に対する審判事件［平成１２年　２月２９日出願公開、特開２０００−　６１０９５］について、次のとおり審決する。
【結　論】
　本件審判の請求は、成り立たない。
【理　由】
１．手続の経緯・本願発明
　本願は、平成３年１２月６日に特許出願した特願平３−３４９６５２号の一部を平成１１年９月３日に新たな特許出願（特願平１１−２５００８７号）としたものであって、その請求項１に係る発明は、平成１４年３月１３日付けの手続補正書によって補正された明細書及び図面の記載からみて、本願の特許請求の範囲の請求項１に記載された次のとおりのものと認める。（以下、「本願発明」という。）
「電気的駆動源により作動して所定数のパチンコ球を払い出す電気的球払出装置と、該電気的球払出装置から払い出されるパチンコ球をパチンコ機前面の打球供給皿に導くための球排出樋と、球抜き処理する球抜樋と、を備えたパチンコ機において、
　前記電気的球払出装置は、パチンコ機の裏面側に設けられ、また、該電気的球払出装置の本体ベースには、前記電気的球払出装置から払出されるパチンコ球を整流しかつ前記球排出樋と連通する排出通路と、該排出通路の一側に分岐して形成される球抜樋と、前記排出通路の分岐個所に球抜きソレノイドにより前記球抜樋を閉塞する位置と前記排出通路を閉塞する位置とに切替え動作する切替レバーを設けた通路切替装置と、が設けられていることを特徴とするパチンコ機。」
　　　　　　　　　　　　　　　　　　　　　　　　　　　　　　　　　
２．刊行物に記載された発明
　これに対して、原査定の拒絶の理由に引用された、本願の出願前に頒布された刊行物である実願昭５９−９０２２６号（実開昭６１−８０８７号）の願書に添付した明細書及び図面の内容を撮影したマイクロフィルム（以下、「刊行物」という。）には、以下の記載が認められる。
a．「玉入口が賞球誘導路に臨む第１位置と、第１位置から回動して玉出口が賞球排出路に臨む第２位置とに回動可能に支持された賞球貯留部を、入賞球が検出されたとき上記第１位置から第２位置に回動させ、賞球排出を行なう賞球排出機構において、上記第１位置にある賞球貯留部の玉出口に玉抜通路の開口部を臨ませ、該玉抜通路と賞球貯留部の玉出口との間に位置して、常時は該玉出口を閉じて賞球貯留部からの球の流下を阻止する開閉可能な蓋部材を設け、該蓋部材に該蓋部材を開閉する外部操作可能な連動部材を連絡し、外部操作により連動部材を作動して蓋部材を閉状態から開状態に変位させ、賞球貯留部の玉出口を玉抜通路に連通せしめて賞球誘導路内の球を玉抜通路からパチンコ機外部に抜き取り可能にしたことを特徴とする賞球排出機構の玉抜き構造。」（実用新案登録請求の範囲）
b．「基板には・・・賞球貯留部２４が作動したとき内部に貯留された一定数の賞球をパチンコ機１前面の上部受皿又は下部供給皿に送る賞球排出樋２５、賞球貯留部２４を作動する駆動源１６などを設けてあり」（第６頁第１３行−第７頁第１行）
c．「玉抜通路３１は基板上に支持され」（第７頁第１８−１９行）
上記の記載（a．ないしc．）より、刊行物にはつぎの発明（以下、「引用発明」という。）が記載されていると認められる。　
「玉入口が賞球誘導路に臨む第１位置と、第１位置から回動して玉出口が賞球排出路に臨む第２位置とに回動可能に支持され、基板に設けた駆動源により作動される賞球貯留部を基板に設け、該賞球貯留部が作動したとき内部に貯留された一定数の賞球をパチンコ機前面の上部受皿又は下部供給皿に送る賞球排出樋を基板に設けて、入賞球が検出されたとき上記第１位置から第２位置に回動させ賞球排出を行なう賞球排出機構において、上記第１位置にある賞球貯留部の玉出口に基板上に支持された玉抜通路の開口部を臨ませ、該玉抜通路と賞球貯留部の玉出口との間に位置して、常時は該玉出口を閉じて賞球貯留部からの球の流下を阻止する開閉可能な蓋部材を設け、外部操作により蓋部材を閉状態から開状態に変位させ、賞球貯留部の玉出口を玉抜通路に連通せしめて賞球誘導路内の球を玉抜通路からパチンコ機外部に抜き取り可能にしたことを特徴とする賞球排出機構の玉抜き構造。」
　　　　　　　　　　　　　　　　　　　　　　　　　　　　　　　　　
３．対比・判断 　 　 
　本願発明と引用発明とを対比すると、引用発明における「駆動源により作動される」は本願発明における「電気的駆動源により作動して」に対応しており、同様に「一定数の賞球を送る」は「所定数のパチンコ球を払い出す」に、「賞球排出機構」は「電気的球払出装置」に、「パチンコ機前面の上部受皿又は下部供給皿に送る賞球排出樋」は「パチンコ機前面の打球供給皿に導くための球排出樋」に、「玉抜通路」は「球抜き処理する球抜樋」に、「パチンコ機」は「パチンコ機」に、「賞球排出路」は「排出通路」に、それぞれ対応している。
　ここで引用発明において、「賞球貯留部」は「玉抜通路の開口部を臨」む「第１位置」と、「賞球排出路に臨む第２位置」との間を「回動可能に支持され」ており、また刊行物の第１図を参照すれば「玉抜通路」は「賞球排出路」から分岐されているといえる。そして上記「賞球貯留部」は「第１位置」と「第２位置」との間を回動することにより、「玉抜通路」の「蓋部材」と相俟って「玉抜通路」を閉塞する位置と「賞球排出路」を閉塞する位置とに切替え動作するものであるから、実質上、「玉抜通路」と「賞球排出路」とを切替える通路切替装置として機能しているということができる。また上記「賞球貯留部」から「賞球排出路」に流出した賞球は整流され、「賞球排出樋」へと導かれるものであり、「賞球排出機構」はパチンコ機の裏面側に設けられていることが明らかである。
　そうすると、両者は以下の点で一致し、また相違していると認められる。
一致点：
電気的駆動源により作動して所定数のパチンコ球を払い出す電気的球払出装置と、該電気的球払出装置から払い出されるパチンコ球をパチンコ機前面の打球供給皿に導くための球排出樋と、球抜き処理する球抜樋と、を備えたパチンコ機において、前記電気的球払出装置は、パチンコ機の裏面側に設けられ、また、前記電気的球払出装置から払出されるパチンコ球を整流しかつ前記球排出樋と連通する排出通路と、該排出通路の一側に分岐して形成される球抜樋と、前記排出通路の分岐個所に前記球抜樋を閉塞する位置と前記排出通路を閉塞する位置とに切替え動作する通路切替装置と、が設けられているパチンコ機、である点。
相違点：
本願発明は、排出通路と、球抜樋と、通路切替装置とを電気的球払出装置の本体ベースに設け、通路切替装置は球抜きソレノイドにより切替え動作する切替レバーを設けたものであるのに対して、引用発明は、賞球排出路（排出通路）と、玉抜通路（球抜樋）と通路切替装置と賞球排出機構（電気的球払出装置）とをそれぞれ基板に設けたものであり、通路切替え動作は賞球貯留部の回動動作と蓋部材の開閉動作とによって行うものであり、球抜きソレノイドにより切替え動作する切替レバーによって行うものではない点。
  上記の相違点について検討する。　　　　　　　　　　　　　　　　　　
　パチンコ機において、排出通路と球抜樋との分岐箇所に球抜きソレノイドにより切替え動作する切替レバーを設けた通路切替装置はきわめて周知であり、また排出通路と、球抜樋と、上記周知の通路切替装置とを一体的に組み込んだ賞球排出ユニットも周知である（例えば、下記の周知例１ないし周知例３があげられる。）。ところで本願発明の電気的球払出装置の「本体ベース」が技術的に裏付ける事項に関連して本願の明細書を参照すると、従来パチンコ機を構成する各部材が別個に機構板に組み付けられていたために裏部品の組付及び配線作業並びに電気的球払出装置の作動テストや検査に繁雑な手間を要しその作業も大掛かりとなっていたという技術的課題を解決するために「電気的球払出装置に、切替レバーまたは該切替レバーを作動させる動力部材などの通路切替装置を設けることにより、電気的球払出装置の作動テストや検査が簡単に行なえると共にパチンコ機の裏部品の組付作業の迅速化も図ることができるパチンコ機を提供することを目的とする」（段落【０００３】）ものであること、「電気的球払出装置１３は（中略）本体ベース１５と電気的駆動源としての駆動モータ１６とリードスクリュー１７とカバー１８及び（中略）通路切替装置３０とによって大略構成されている」（段落【０００８】）こと等が記載されている。これらの記載と審判請求書及び審判請求書を補正した手続補正書（平成１４年３月１３日付け）の「本願発明は、（中略）電気的球払出装置１３の本体ベース１５に排出通路２０、分岐される球抜樋２９及び通路切替装置３０をそれぞれ集約して設け、いわゆるユニット化した構成に特徴を有する」（上記平成１４年３月１３日付け手続補正書第４頁の項目f． ）等の記載を総合的にみると、本願発明における「本体ベース」とは、「電気的球払出装置」の本体を構成するベース部であり、本願発明は、この「本体ベース」に「排出通路」と、「排出通路」の一側に分岐して形成される「球抜樋」と、前記「排出通路」の分岐個所に球抜きソレノイドにより前記「球抜樋」を閉塞する位置と前記「排出通路」を閉塞する位置とに切替え動作する切替レバーを設けた「通路切替装置」とを設けることにより一体化したパチンコ機における「電気的球払出装置」のユニット体であるといえる。そうすると、本願発明が備える上記相違点の構成は、上記した周知技術における「景品球放出ユニット２０」（周知例１）または「賞球放出機構７３」（周知例２）または「賞球排出部７００」（周知例３）と異なるところがない。さらにいえば、本願発明が備える「本体ベース」は、「ユニットケース２１」（周知例１）または「ケース７２」（周知例２）または「賞球排出ユニット７００Ａ」及び「賞球排出樋ユニット７００Ｂ」（周知例３）に対応している。すると、これらの周知技術を技術的前提とし、引用発明において基板上にそれぞれ設けられている、賞球排出路（排出通路）と、玉抜通路（球抜樋）と、通路切替装置とを賞球排出機構（電気的球払出装置）の本体に設けて一体的に構成することは当業者が容易に想起し得たことであり、その際に通路切替装置の切替機構を球抜きソレノイドにより切替え動作する切替レバーを用いた周知の通路切替機構に変更したことは単なる設計���変更にすぎない。しかも本願発明の奏する効果に、引用発明及び周知技術から容易に予測できる以上の格別のものがあるとも認められない。したがって、本願発明は、引用発明及び周知技術に基いて、当業者が容易に発明をすることができたものである。
　　　　　　　　　　　　　　　　　　　　　　　　　　　　　　　　　
【周知例】
周知例１：特開平３−８５１９０号公報
「景品球放出ユニット２０」の「ユニットケース２１」に「景品球放出溝７１」と「球抜き溝７２」と、「ソレノイド４７」により切替え動作する「球抜きレバー４２」により切替えを行う「球抜き部材」とを設けたパチンコ機における「景品球放出ユニット」が記載されている。（第３頁右上欄第１４行−第５頁左上欄第１行及び図面第２図−第４図）
周知例２：特開平２−１１９８８４号公報
「賞球放出機構７３」の「ケース７２」に「賞球放出路１３１」と「球抜通路１２０」を形成し、「球抜通路１２０」への切替えは「球抜用レバー１１０」をソレノイド等で操作して行うパチンコ機における「賞球放出機構」が記載されている。（第３頁左上欄第１７行−第４頁左下欄第８行、第５頁右下欄末行−第６頁左上欄第７行、第６頁右上欄第９−１９行並びに図面第９図−第１６図）
周知例３：特開平３−２４７３７４号公報
「賞球排出部７００」を「賞球排出ユニット７００Ａ」と「賞球排出樋ユニット７００Ｂ」とから構成し、「賞球排出ユニット７００Ａ」の「賞球排出誘導枠７０１Ａ」には「賞球排出装置７４０」が設けられており、「賞球排出樋ユニット７００Ｂ」には「球導出樋７５０」を「賞球排出樋７５１」と「球抜樋７５２」とに分岐する分岐部を設け、該分岐部には「球抜きソレノイド７６１」により切換え動作する「切換えゲート７６２」により切換えを行う「球抜き装置７６０」を設けたパチンコ機における「賞球排出部」が記載されている。（第６頁右下欄第９行−第７頁右上欄第７行、第８頁右下欄第５−１７行、第１０頁左上欄第５行−右下欄第２行並びに図面第２図、第４図、第６図、第７図）
  　　　　　　　　　　　　　　　　　　　　　　　　　　　　　　　　
４．むすび
　したがって、本願発明は、引用発明及び周知技術に基いて、当業者が容易に発明をすることができたものであるので、特許法第２９条第２項の規定により特許を受けることができない。
　よって、結論のとおり審決する。